(57)【要約】【課題】  蒸気使用機器の内部に混入した大気圧以下の空気を、外部へ排出することのできる復水回収装置を提供すること。【解決手段】  復水溜容器２に復水の流入口３と還元口４、及び、高圧操作流体の導入口５と循環口６をそれぞれ設ける。復水の流入口３に復水流入管１０を接続する。復水溜容器２の上部に、空気抜き管８を介在してタンク７と接続する。タンク７の上部に逆止弁１７を介在して大気連通管１８を接続する。  蒸気使用機器や復水タンク１３内の大気圧以下の空気はタンク７内へ流下して、高圧操作流体の流体圧力によって逆止弁１７と大気連通管１８を通って大気中へ排出される。【選択図】図１
2014009844.tif 000002
【特許請求の範囲】
【請求項１】
復水の流入口と還元口を設けた復水溜容器と、該復水溜容器に高圧操作流体の導入口と循環口を形成すると共に、復水溜容器内の水位と共に浮上降下するフロ―ト手段を配置して、該フロ―ト手段の移動に応じて上記高圧操作流体の導入口と循環口を開閉して復水を圧送し回収するものにおいて、復水溜容器の上部に空気抜き管を介在してタンクを接続し、当該タンクに逆止弁を介在して大気連通管を接続したことを特徴とする復水回収装置。
【発明の詳細な説明】
【技術分野】
【０００１】
本発明は、蒸気使用機器で発生した蒸気の凝縮水としての復水を、ボイラーや給水タンク等の所定の復水回収先へ回収する復水回収装置に関する。
【背景技術】
【０００２】
従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、蒸気使用機器の内部が大気圧以下の真空状態になった場合に、配管接続部等から大気中の空気を吸い込んでしまい、この空気を大気中へ排出することができなくなる問題があった。
【先行技術文献】
【特許文献】
【０００４】
【特許文献１】特開２００８−１７０１２６号公報
【発明の概要】
【発明が解決しようとする課題】
【０００５】
解決しようとする課題は、蒸気使用機器の内部に混入した大気圧以下の空気を、外部へ排出することのできる復水回収装置を提供すること。
【課題を解決するための手段】
【０００６】
本発明は、復水の流入口と還元口を設けた復水溜容器と、該復水溜容器に高圧操作流体の導入口と循環口を形成すると共に、復水溜容器内の水位と共に浮上降下するフロ―ト手段を配置して、該フロ―ト手段の移動に応じて上記高圧操作流体の導入口と循環口を開閉して復水を圧送し回収するものにおいて、復水溜容器の上部に空気抜き管を介在してタンクを接続し、当該タンクに逆止弁を介在して大気連通管を接続したものである。
【発明の効果】
【０００７】
本発明の復水回収装置は、高圧操作流体の導入口が閉口している間に、復水の流入口から復水が復水溜容器に流入すると共に、蒸気使用機器に混入した空気も復水溜容器に流入して、更に、空気は空気抜き管からタンクへ流入して溜まる。復水溜容器内に復水が溜まって高圧操作流体の導入口が開口すると、その高圧操作流体の流体圧力によってタンク内の空気は、逆止弁と大気連通管を通って大気中へ排出される。
【図面の簡単な説明】
【０００８】
【図１】本発明の復水回収装置の実施例を示す構成図。
【発明を実施するための最良の形態】
【０００９】
本発明の復水回収装置は、高圧操作流体の流体圧力によって、タンクから空気を大気中へ排出するものであるが、この高圧操作流体としては、高圧の蒸気や圧縮空気等を用いることができる。
【実施例１】
【００１０】
図１は本実施例の構成図であって、復水溜容器２に、復水の流入口３と還元口４、及び、高圧操作流体の導入口５と循環口６を形成し、復水溜容器２とタンク７を空気抜き管８で接続する。
【００１１】
復水の流入口３に逆止弁９を介して復水流入管１０を接続する。逆止弁９は、復水流入管１０から復水溜容器２側への復水の流下を許容し、反対方向の流れは阻止する機能を有する。復水の還元口４に逆止弁１１を介して復水圧送管１２を接続する。逆止弁１１は、復水回収装置２内から復水圧送管１２側への復水の流下を許容し、反対方向の流れは阻止する機能を有する。
【００１２】
復水流入管１０の上部を復水タンク１３と接続し、復水タンク１３に復水管１４を接続する。復水管１４の上端を図示しない蒸気使用機器と接続することによって、蒸気使用機器で蒸気が凝縮して発生した復水は、復水管１４と復水タンク１３と復水流入管１０と逆止弁９を通って流入口３から復水溜容器２内へ流下するものである。
【００１３】
高圧操作流体の導入口５へ高圧の駆動蒸気供給管１５を接続する。また、高圧操作流体の循環口６は、管路１６を介して復水タンク１３と接続する。
【００１４】
復水溜容器２の上部に空気抜き管８を介在してタンク７と接続する。タンク７の上部に逆止弁１７を介在して大気連通管１８を接続する。逆止弁１７は、タンク７から大気連通管１８側への流体の通過を許容し、反対方向の流体の通過は阻止するものである。
【００１５】
タンク７の内部にコイル管１９を配置して、このコイル管１９の下端部を復水圧送管１２と接続し、上端部を復水回収管２０と接続する。
【００１６】
復水溜容器２は、内部に配置した図示しないフロートが下方部に位置する場合に、高圧操作流体の導入口５を閉口し、一方、高圧操作流体の循環口６を開口して、復水流入管１０から復水を復水溜容器２内に流下させる。この場合、図示しない蒸気使用機器や復水タンク１３に溜まった大気圧以下の空気は、復水に混入して復水溜容器２内へ流入し、更に、空気抜き管８を通ってタンク７内へ溜まる。
【００１７】
復水溜容器２内に復水が溜まって図示しないフロートが所定上方部に位置すると、高圧操作流体の循環口６を閉口し、一方、高圧操作流体の導入口５を開口し、高圧の駆動蒸気供給管１５から圧送用の駆動蒸気を内部に流入させることにより、内部に溜まった復水を復水の還元口４と逆止弁１１から復水圧送管１２へと排出する。この場合、復水溜容器２へ供給された高圧の駆動蒸気の一部が、空気抜き管８からタンク７へと供給されて、タンク７内に溜まっていた大気圧以下の空気を加圧して、逆止弁１７を通って大気連通管１８から大気中へ排出する。
【００１８】
復水圧送管１２から排出される復水は、タンク７内のコイル管１９を通って復水回収管２０から所定の回収先へと回収される。復水がコイル管１９を通過する間に、タンク７内に混入している蒸気と熱交換して、蒸気を凝縮させて復水となり、この復水が管路２１を通って復水タンク１３へと供給される。
【００１９】
復水が圧送されて復水溜容器２内の液位が低下すると、再度、高圧操作流体の導入口５を閉口し、高圧操作流体の循環口６を開口することによって、復水の流入口３から復水を復水溜容器２の内部へ流下させる。このような作動サイクルを繰り返すことによって復水を所定の回収先へ回収することができる。
【産業上の利用可能性】
【００２０】
本発明は、蒸気使用機器の内部に混入した大気圧以下の空気を、外部へ排出することのできる復水回収装置として利用することができる。
【符号の説明】
【００２１】
２  復水溜容器
３  復水の流入口
４  復水の還元口
５  高圧操作流体の導入口
６  高圧操作流体の循環口
７  タンク
９  逆止弁
１０  復水流入管
１１  逆止弁
１２  復水圧送管
１３  復水タンク
１４  復水管
１５  高圧の駆動蒸気供給管
１７  逆止弁
１８  大気連通管
【図１】
2014009844.tif 000003